(57)【要約】      （修正有）【課題】周知技術の課題を改善するための端子台の改良構成を提供する。【解決手段】絶縁ケーシング１と、絶縁ケーシング内に設け、導電面２０、囲枠２３及び導電面から離れた位置より導電面に向かって弾性的当接が発生する弾性片３を設置する導電体２と、を包括し、導電面は、弾性片と弾性的当接が可能な区間に挟持口を形成し、絶縁ケーシングは、外部から挟持口に向かう挿入孔１１及び外部から弾性片と挟持口との間に向かう操作孔１２を設け、操作孔に位置する延伸軸線は、弾性片の擺動区域と交わって軌跡を形成し、軌跡の末端に近接する箇所にストッパ部１４を設けることで、ユーザが手工具６を操作孔から挿入して弾性片を当接し、挟持口によって挟持されている電線７を開放すると、弾性片の末端に近接する箇所は、ストッパ部に圧着されて手工具に対して逆方向の弾性力が発生し、逆方向の弾性力によって手工具が一方に押圧され、操作孔内壁との間で脱落防止の挟持効果が発生し、片手で手工具や電線の抜き挿し操作ができる。【選択図】図５
0003208919.tif 000002
【実用新案登録請求の範囲】
【請求項１】
絶縁ケーシングと、前記絶縁ケーシング内に設け、導電面、囲枠及び前記導電面から離れた位置より前記導電面に向かって弾性的当接が発生する弾性片を設置する導電体と、を包括し、前記導電面は、前記弾性片と弾性的当接が可能な区間に挟持口を形成し、前記絶縁ケーシングは、外部から前記挟持口に向かう挿入孔及び外部から前記弾性片と前記挟持口との間に向かう操作孔を設け、前記導電面から離れた前記挟持口の一側において、前記操作孔の延伸軸線は、前記弾性片の擺動区域と交わって軌跡を形成し、前記軌跡の末端に近接する箇所にストッパ部を設けることを特徴とする端子台の改良構成。
【請求項２】
前記端子台の改良構成は、前記導電面、前記弾性片及び前記ストッパ部を囲繞する囲枠を設け、且つ前記ストッパ部は、前記囲枠の一側に設ける開口を介して前記囲枠内に入り込むことを特徴とする請求項１に記載の端子台の改良構成。
【請求項３】
前記軸線は、前記挿入孔に対応する前記挟持口の内側に向かって斜め方向に延伸することを特徴とする請求項１或いは２に記載の端子台の改良構成。
【請求項４】
前記操作孔は、外部から前記挟持口に向かって徐々に縮小する孔径を形成することを特徴とする請求項１或いは２に記載の端子台の改良構成。
【請求項５】
前記ストッパ部は、前記絶縁ケーシング内壁に一体的に形成することを特徴とする請求項１或いは２に記載の端子台の改良構成。
【請求項６】
前記ストッパ部は、前記導電面に向かうストッパ面を設けることを特徴とする請求項１或いは２に記載の端子台の改良構成。
【請求項７】
前記ストッパ部は、前記導電面に向かうストッパ面を設けることを特徴とする請求項３に記載の端子台の改良構成。
【請求項８】
前記ストッパ部は、前記導電面に向かうストッパ面を設けることを特徴とする請求項４に記載の端子台の改良構成。
【請求項９】
前記弾性片は、前記導電面に当接するまで弾性的に擺動可能な挟持部と、前記導電面から離れた位置に固定する定位部と、前記挟持部と前記定位部との間に連接する湾曲部とを設け、前記挟持口は、前記導電面と前記挟持部との間に形成し、前記操作孔は、前記挟持部に通じ、前記ストッパ部は、前記挟持部の擺動経路上に位置し、前記絶縁ケーシングの内部は、前記湾曲部を嵌着することができる弓形スロットを設け、前記ストッパ部は、前記挟持部と前記定位部との間に位置することを特徴とする請求項１或いは２に記載の端子台の改良構成。
【請求項１０】
前記弾性片は、前記導電面に当接するまで弾性的に擺動可能な挟持部と、前記導電面から離れた位置に固定する定位部と、前記挟持部と前記定位部との間に連接する湾曲部とを設け、前記挟持口は、前記導電面と前記挟持部との間に形成し、前記操作孔は、前記挟持部に通じ、前記ストッパ部は、前記挟持部の擺動経路上に位置し、前記絶縁ケーシングの内部は、前記湾曲部を嵌着することができる弓形スロットを設け、前記ストッパ部は、前記挟持部と前記定位部との間に位置することを特徴とする請求項３に記載の端子台の改良構成。
【請求項１１】
前記弾性片は、前記導電面に当接するまで弾性的に擺動可能な挟持部と、前記導電面から離れた位置に固定する定位部と、前記挟持部と前記定位部との間に連接する湾曲部とを設け、前記挟持口は、前記導電面と前記挟持部との間に形成し、前記操作孔は、前記挟持部に通じ、前記ストッパ部は、前記挟持部の擺動経路上に位置し、前記絶縁ケーシングの内部は、前記湾曲部を嵌着することができる弓形スロットを設け、前記ストッパ部は、前記挟持部と前記定位部との間に位置することを特徴とする請求項４に記載の端子台の改良構成。
【請求項１２】
前記導電体は、前記挿入孔及び前記操作孔に相対する基部と、前記基部から前記挿入孔に向かって延伸し且つ前記囲枠内に位置する接続部を設け、前記導電面は、前記接続部上に設け、前記囲枠内壁は、前記接続部から離れ且つ前記導電面に向かう支持部を設け、前記弾性片は、前記支持部上に設けることを特徴とする請求項２に記載の端子台の改良構成。
【請求項１３】
前記囲枠内部は、前記接続部、前記弾性片及び前記ストッパ部が収容可能な収容空間を設け、前記囲枠上に、前記挿入孔、前記操作孔及び前記収容空間を連通する上開口を設けることを特徴とする請求項１２に記載の端子台の改良構成。
【考案の詳細な説明】
【技術分野】
【０００１】
本考案は、操作孔内に手工具を挟持することで、片手で手工具の操作や電線の抜き取りが可能な端子台であって、特に、手工具を挟持するためのストッパ部をプラスチック製の絶縁ケーシングの内壁に直接設けることで、前記ストッパ部と前記操作孔との間の配置精確性を向上させる端子台の改良構成に関するものである。
【背景技術】
【０００２】
端子台は、接続端子の一種で、主に、電子部品或いは電機部品同士の間にある電線を接続させたり、電子、電機部品の電線を回路基板上に接続したりするために用いており、前記電子、電機部品は、レジスタ、コンデンサ、インダクタ、モータ、変圧器、継電器、発電機等が含まれ、これによって、電源或いは電子信号が伝導されることで、電子製品、電気機器内部の電子、電機部品の間の配置及びメンテナンスが容易となり、また、端子台は、互いに嵌合して一列に設置することができるため、回路のプランニングや整合に利用されている。
【０００３】
現在、様々な端子台が市販されており、特許文献１のような従来の端子台は、図１のように、主に金属片を折曲してなる金属枠形態の導電体４であって、前記導電体４内に導電面４０と弾性片５とを設置し、前記導電面４０と前記弾性片５との間に挟持口５０を形成し、外部電線は、前記挟持口５０に挿入することで、前記導電体４内に挿入することができ、前記電線は、前記弾性片５と前記導電面４０との間で挟持され、前記導電体４はその他の電線或いは回路基板に接続することができる。このように、上述した電源或いは電子信号は、導電体４を介して電線に伝導したり、電線から導電体４に伝導したりしており、電線を導電体４から抜き取りたい場合、ユーザは、例えば、スクリュードライバー等の手工具６を片方の手で前記導電体４内に挿入し、前記手工具６が、電線を押圧している前記弾性片５を当接して押圧位置をずらすことで、前記挟持口５０を開いて前記電線を開放し、この時、ユーザはもう片方の手で前記電線を前記導電体４から抜き取ることができ、このため、両手でなければ、前記手工具６の把持と電線取り外しの動作とを同時に完了させることができない。
【０００４】
しかし、接線端子が固定されていない状態の場合、ユーザは、通常、片手で接線端子を把持し、もう片方の手で手工具６を把持して、予め前記接線端子を挿入した導電体４内で弾性片５を当接しなければならず、この時、両手が塞がっているため、前記電線を前記導電体４から抜き取ることができない状態となる。一部の接線端子において、前記導電体４に挿入する前記手工具６に対し、前記弾性片５自身にある反発力を利用して前記手工具６を工具挿入孔の孔壁に押し当てることによって前記手工具６を挟持する作用を発生させているものがあるが、この方法では、前記弾性片５自身に一定の重量がある前記手工具６を有効的に挟持する程の反発力がないため、前記手工具６が前記挟持口５０から脱落し易く、操作を円滑に行えず、しいては、前記手工具６の脱落によりその他の作業員を傷付けたりする恐れがある。この問題を克服するため、前記導電体４内に、前記金属片を折曲してなるストッパ部４１を増設しており、前記ストッパ部４１は、前記工具挿入孔の側面位置に位置し、且つ前記弾性片５が弾性的に擺動するように前記導電面４０と前記ストッパ部４１との間に位置することにより、前記手工具６が前記挟持口５０に挿入して前記弾性片５を前記導電面４１からずらすように当接した場合、前記弾性片５が前記ストッパ部４１に当接すると、逆方向の弾性力が発生し、この弾性力が前記手工具６末端を当接して前記工具挿入孔の縁に係合し、嵌合することにより、前記手工具６を把持していた手を放し、電線を抜き取ることができる。
【０００５】
しかしながら、上述した設計では、実際の応用上において、以下のような欠点が発生する。外部に対する絶縁の発生、電線短絡の防止及び電子製品又は電気機器内部に取付或いは嵌合し易いようにするため、前記導電体４は、通常、プラスチック材料からなる絶縁ケーシング（図示されていない）内に設けられており、前記絶縁ケーシング上には前記導電体４内にある前記弾性片５に対応する操作孔（前記工具挿入孔）（図示されていない）を設けることができ、前記手工具６が前記絶縁ケーシング上にある前記操作孔を介して前記弾性片５を当接するように前記導電体４内に挿入した場合、前記導電体４の前記ストッパ部４１は金属枠内に設けられているため、前記導電体４（金属枠）内の前記ストッパ部４１と前記絶縁ケージング上にある前記操作孔との対応関係に誤差が発生すると、前記手工具６を挟持する前記弾性片５に影響を及ぼし易く、また、上述した前記ストッパ部４１は、前記工具挿入孔の側面に設けられているため、擺動の中心点に極めて接近し、前記弾性片５が擺動可能な幅及び前記手工具６が挿入可能な深さに多大な影響を及ぼし、これにより、前記弾性片５と前記工具挿入孔の側面とで形成する前記手工具６への挟持力の不足が相対的に発生して容易に脱落する状況が起こり、操作上における潜在的な危険性を有することとなり、また、前記導電体４上に前記ストッパ部４１を増設する構成は、前記導電体４の構成を顕著に複雑化させることから、改善の必要性がある。
【０００６】
これ等を鑑み、本考案は、上述した周知技術の課題を改善するための端子台の改良構成を創作している。
【先行技術文献】
【特許文献】
【０００７】
【特許文献１】ドイツ特許明細書第１０２００７０３５３３６号
【考案の概要】
【考案が解決しようとする課題】
【０００８】
本考案の主要な目的は、ストッパ部をプラスチック製の絶縁ケーシング内壁に直接設けることで、前記ストッパ部と操作孔との間の配置関係を安定且つ確実にする端子台の改良構成を提供し、上述した周知の端子台のストッパ部が導電体（金属枠）内に設けられ、絶縁ケーシングにある操作孔との対応関係に誤差が発生し易く、手工具を挟持するように作用する弾性片の確実性に影響を及ぼし、挟持操作上で脱落の危険性が発生し易く、また、前記ストッパ部を金属導電体に直接設置するため、金属導電体の構成の複雑性が必然的に増加するといった課題を克服している。
【課題を解決するための手段】
【０００９】
上述した目的を達成するため、本考案に係る端子台の改良構成は、絶縁ケーシングと、前記絶縁ケーシング内に設け、導電面、囲枠及び前記導電面から離れた位置より前記導電面に向かって弾性的当接が発生する弾性片を設置する導電体と、を包括し、前記導電面は、前記弾性片と弾性的当接が可能な区間に挟持口を形成し、前記絶縁ケーシングは、外部から前記挟持口に向かう挿入孔及び外部から前記弾性片と前記挟持口との間に向かって孔径を徐々に縮小する操作孔を設け、前記操作孔の延伸軸線は、前記弾性片の擺動区域と交わって軌跡を形成し、前記軌跡の末端に近接する箇所にストッパ部を設けることで、手工具が前記操作孔から前記挟持口に向かって挿入されると、前記弾性片は、前記ストッパ部の係止を受ける前に、より大きな範囲の擺動幅を発生することができるため、手工具は、前記操作孔内部に充分に挿入することが可能となり、前記弾性片が前記ストッパ部の係止を受けると、前記ストッパ部によって前記弾性片が手工具の挿入端に対して発生する強化された反発作用を提供することにより、手工具の挿入端は、前記操作孔の内壁に向かって強化された正の力を発生し、手工具が受ける前記操作孔及び前記弾性片それぞれの挟持作用と摩擦力を向上させることで、脱落を防止する効果を達している。
【００１０】
上述したことから、外部の電線は、前記挿入孔を介して前記挟持口に挿入することができ、前記弾性片は、弾性的当接で前記電線を前記導電面に圧着させ、前記挟持口で前記電線を挟持し、前記操作孔は、外部からの手工具、例えば、スクリュードライバーを前記絶縁ケーシング内に挿入させるために用いることができ、手工具で前記弾性片を当接して前記弾性片を前記導電面から離脱させることで、前記挟持口を開かせ、前記電線を開放すると同時に、前記弾性片が前記ストッパ部の係止を受けるまで擺動すると、前記弾性片は、前記ストッパ部の支持を受けて逆方向となり、手工具に向かって反発力或いは圧力が発生し、前記反発力或いは前記圧力は、手工具を一方に当接することで、前記操作孔内壁に圧着するための正の力及び摩擦力を向上させ、手工具を前記操作孔内で強固に挟持しており、これによって、使用する際は、片方の手で手工具を把持し、前記操作孔内に挿入して強固な挟持を受けることで、手工具を把持していた方の手を放すことができ、さらに、その手で前記電線を抜き取ることから、操作上、とても利便的である。このことから、本考案に係るストッパ部は、前記絶縁ケーシングの内壁に直接設けられ、前記ストッパ部と前記操作孔との相対的位置は固定され、且つ前記弾性片の擺動経路も固定しているため、前記ストッパ部と前記操作孔との間に差異は発生せず、上述した従来の接続端子に係るストッパ部と操作孔との誤差で手工具の挟持効果が喪失又は低下するという恐れがない。
【００１１】
上述した主要な構成的特徴に基づくと、前記囲枠は、前記導電面、前記弾性片及び前記ストッパ部の外囲を囲繞し、且つ前記ストッパ部は、前記囲枠の一側に設ける開口を介して前記囲枠内に入り込んでいる。
【００１２】
上述した主要な構成的特徴に基づくと、前記軸線は、前記挿入孔に対応する前記挟持口の内側に向かって斜め方向に延伸している。
【００１３】
上述した主要な構成的特徴に基づくと、前記ストッパ部は、前記絶縁ケーシング内壁に一体的に形成している。
【００１４】
上述した主要な構成的特徴に基づくと、前記ストッパ部は、前記導電面に向かうストッパ面を設けている。
【００１５】
上述した主要な構成的特徴に基づくと、前記弾性片は、前記導電面に当接するまで弾性的に擺動可能な挟持部と、前記導電面から離れた位置に固定する定位部と、前記挟持部と前記定位部との間に連接する湾曲部とを設け、前記挟持口は、前記導電面と前記挟持部との間に形成し、前記操作孔は、前記挟持部に通じ、前記ストッパ部は、前記挟持部の擺動経路上に位置し、前記絶縁ケーシングの内部は、前記湾曲部を嵌着することができる弓形スロットを設け、前記ストッパ部は、前記挟持部と前記定位部との間に位置している。
【００１６】
上述した主要な構成的特徴に基づくと、前記導電体は、前記挿入孔及び前記操作孔に相対する基部と、前記基部から前記挿入孔に向かって延伸し且つ前記囲枠内に位置する接続部を設け、前記導電面は、前記接続部上に設け、前記囲枠内壁は、前記接続部から離れ且つ前記導電面に向かう支持部を設け、前記弾性片は、前記支持部上に設けている。
【００１７】
上述した主要な構成的特徴に基づくと、前記囲枠内部は、前記接続部、前記弾性片及び前記ストッパ部が収容可能な収容空間を設け、前記囲枠上に、前記挿入孔、前記操作孔及び前記収容空間を連通する上開口を設けている。
【図面の簡単な説明】
【００１８】
【図１】従来の接続端子を示す斜視図である。
【図２】本考案を示す斜視図である。
【図３】図２の分解図である。
【図４】図２の断面図である。
【図５】図４の使用状態を示す断面図である。
【考案を実施するための形態】
【００１９】
本考案の実施方法を示した図面である図２乃至図４を参照すると、本考案に係る端子台の改良構成は、収容スロット１０を内設する絶縁ケーシング１と、前記絶縁ケーシング１の前記収容スロット内に設ける導電体２とを包括し、前記導電体２は、導電面２０、囲枠２３及び弾性片３を設け、前記弾性片３は、前記導電面から離れた位置より前記導電面に向かって弾性的当接を発生し、前記導電面２０は、前記弾性片３と弾性的当接が可能な区間に挟持口３０を形成し、前記絶縁ケーシング１の頂部は、前記収容スロット１０に連通する挿入孔１１及び操作孔１２を設け、前記挿入孔１１は、前記絶縁ケーシング１の外部から前記挟持口３０に通じ、前記操作孔１２は、前記絶縁ケーシング１の外部から前記弾性片３と前記挟持口３０との間に通じ、前記挿入孔１１の横に位置している。
【００２０】
図示されているとおり、前記導電体２は、前記囲枠２３、基部２１及び接続部２２から構成し、前記基部２１は、前記挿入孔１１及び前記操作孔１２に相対し、前記接続部２２は、前記基部２１から前記挿入孔１１に向かって延伸するようになり、且つ前記囲枠２３内に位置し、前記囲枠２３は、前記接続部２２及び前記弾性片３の外囲を囲繞し、前記導電面２０は、前記接続部２２上に設けて前記囲枠２３内に位置し、且つ前記囲枠２３内壁は、前記接続部２２から離れて前記導電面２０に向かう支持部２４を設け、前記弾性片３は、前記支持部２４上に固定している。前記囲枠２３内部は、前記接続部２２及び前記弾性片３が収容可能な収容空間２５を設け、前記囲枠２３の頂部は、前記挿入孔１１、前記操作孔１２及び前記収容空間２５を連通する上開口２６を設けている。
【００２１】
図３及び図４のとおり、前記弾性片３は、挟持部３１、定位部３２及び前記挟持部３１と前記定位部３２との間に連接する湾曲部３３を設け、前記弾性片３の前記定位部３２は、前記囲枠２３の前記支持部２４上に固定されることで、前記弾性片３の前記挟持部３１は、前記導電面２０に向かって弾性的当接が発生することから、前記挟持口３０が前記挟持部３１と前記導電面２０との間に形成し、且つ前記操作孔１２は前記弾性片３の前記挟持部３１に通じている。また、前記絶縁ケーシング１の前記収容スロット１０内壁は、前記湾曲部３３を嵌着することができる弓形スロット１３を設けることで、前記弾性片３を固定している。
【００２２】
好ましい実施例では、前記導電面２０から離れた前記挟持口３０の一側において、前記操作孔１２の延伸軸線１２０は、前記弾性片３にある前記挟持部３１の擺動区域と交わって軌跡を形成し、前記軌跡の末端に近接する箇所にストッパ部１４を設け、前記挿入孔１１に対応する前記挟持口３０の内側に向かって斜め方向に延伸し、前記操作孔１２は、前記絶縁ケーシング１の外部から前記挟持口３０に向かって徐々に縮小する孔径を形成し、且つ前記ストッパ部１４は、前記弾性片３にある前記挟持部３１と前記定位部３２との間に位置し、前記囲枠２３は、前記ストッパ部１４の外囲に囲繞し、且つ前記ストッパ部１４は、前記囲枠２３にある側開口２７を介して前記収容空間２５に入り込んでいる。好ましい考慮において、前記ストッパ部１４は、射出成型で、前記絶縁ケーシング１の前記収容スロット１０の内壁に一体的に形成し、前記導電面２０に向かうストッパ面１４１を設けている。
【００２３】
図５を参照すると、外部の電線７は、前記挿入孔１１を介して前記挟持口３０に挿入することができ、前記弾性片３の前記挟持部３１は、弾性的当接で前記電線７を前記導電面２０に圧着させ、前記挟持口３０で前記電線７を挟持している。前記操作孔１２は、外部からの手工具６、例えば、スクリュードライバーを前記絶縁ケーシング１内に挿入させるために用いることができ、前記手工具６で前記弾性片３の前記挟持部３１を当接して前記挟持部３１を前記導電面２０から離脱させることで、前記挟持口３０を開かせ、前記電線７を開放すると同時に、前記弾性片３の前記挟持部３１が前記ストッパ部１４の前記ストッパ面１４１の係止を受けるまで擺動すると、前記弾性片３の前記挟持部３１は、前記ストッパ部１４の前記ストッパ面１４１の支持を受けて逆方向となり、前記手工具６に向かって反発力或いは圧力が発生し、前記反発力は、前記手工具６を一方に当接することで、前記操作孔１２内壁に圧着するための正の力を強化し、前記手工具６を前記操作孔１２内で強固に挟持する摩擦力を向上させており、これによって、片方の手で前記手工具６を把持し、前記操作孔１２内に挿入して強固な挟持を受けた後、前記手工具６を把持していた方の手を放すことができ、さらに、その手で前記電線７を前記挿入孔１１から抜き取ることから、操作上、とても利便的である。この期間中、前記軌跡の末端に近接する箇所にストッパ部１４を設けることで、前記手工具６が前記操作孔１２から前記挟持口３０に向かって挿入されると、前記弾性片３は、前記ストッパ部１４の係止を受ける前に、より大きな範囲の擺動幅を発生することができるため、前記手工具６は、前記操作孔１２内部に充分に挿入することが可能となり、前記弾性片３が前記ストッパ部１４の係止を受けると、前記ストッパ部１４により、前記弾性片３が前記手工具６の挿入端に対して強化された反発或いは押圧が発生することにより、前記手工具６の挿入端が前記操作孔１２の内壁に強固に圧着される作用が発生し、挟持効果を向上させている。
【００２４】
このことからわかるとおり、本考案に係るストッパ部１４は、前記絶縁ケーシング１の前記収容スロット１０内壁に直接設けられ、前記ストッパ部１４と前記操作孔１２との相対的位置は固定され、且つ前記弾性片３の擺動経路も固定しているため、前記ストッパ部１４と前記操作孔１２との間に差異は発生せず、上述した従来の接続端子に係るストッパ部と操作孔との組合せの関係上で誤差が起き、それによって前記手工具６の挟持効果が喪失又は低下したりすることはなく、且つ前記ストッパ部１４は、加工が容易で、精度も安定し、前記導電体２の構成も簡略化することで、加工コストを削減している。
【００２５】
従って、本考案は、上述した前記ストッパ部１４をプラスチック製の絶縁ケーシング１の前記収容スロット１０内壁に直接設けることで、前記ストッパ部１４と前記操作孔１２との間の配置関係を安定且つ確実にしている。上述した周知の端子台のストッパ部が導電体（金属枠）内に設けられ、絶縁ケーシングにある操作孔との対応関係に誤差が発生し易く、手工具を挟持するように作用する弾性片の確実性に影響を及ぼし、挟持操作上で脱落の危険性が発生し易く、また、前記ストッパ部を金属導電体に直接設置するため、金属導電体の構成の複雑性が必然的に増加するといった課題を克服している。
【００２６】
なお、上記で述べたものは、本考案の好ましい実施例に過ぎず、本考案を限定するものではなく、本考案が掲示する精神を逸脱せずに得た等価の修飾或いは置換は、本考案が請求する登録の範囲に属するものである。
【符号の説明】
【００２７】
１              絶縁ケーシング
１０            収容スロット
１１            挿入孔
１２            操作孔
１２０          軸線
１３            弓形スロット
１４、４１      ストッパ部
１４１          ストッパ面
２、４          導電体
２０、４０      導電面
２１            基部
２２            接続部
２３            囲枠
２４            支持部
２５            収容空間
２６            上開口
２７            側開口
３、５          弾性片
３０、５０      挟持口
３１            挟持部
３２            定位部
３３            彎曲部
７              電線
６              手工具
【図１】
0003208919.tif 000003
【図２】
0003208919.tif 000004
【図３】
0003208919.tif 000005
【図４】
0003208919.tif 000006
【図５】
0003208919.tif 000007
【手続補正書】
【提出日】平成28年12月9日(2016.12.9)
【手続補正１】
【補正対象書類名】明細書
【補正対象項目名】０００２
【補正方法】変更
【補正の内容】
【０００２】
端子台は、接続端子の一種で、主に、電子部品或いは電機部品同士の間にある電線を接続させたり、電子、電機部品の電線を回路基板上に接続したりするために用いており、前記電子、電機部品は、レジスタ、コンデンサ、インダクタ、モータ、変圧器、継電器、発電機等が含まれ、これによって、電源或いは電子信号が伝導されることで、電子製品、電気機器内部の電子、電機部品と回路板との間の配置及びメンテナンスが容易となり、また、端子台は、互いに嵌合して一列に設置することができるため、回路のプランニングや整合に利用されている。
【手続補正２】
【補正対象書類名】明細書
【補正対象項目名】００１２
【補正方法】変更
【補正の内容】
【００１２】
上述した主要な構成的特徴に基づくと、前記軸線は、前記挿入孔に対応する前記挟持口に向かって斜め方向に延伸している。
【手続補正３】
【補正対象書類名】明細書
【補正対象項目名】００２２
【補正方法】変更
【補正の内容】
【００２２】
好ましい実施例では、前記導電面２０から離れた前記挟持口３０の一側において、前記操作孔１２の延伸軸線１２０は、前記弾性片３にある前記挟持部３１の擺動区域と交わって軌跡を形成し、前記軌跡の末端に近接する箇所にストッパ部１４を設け、前記挿入孔１１に対応する前記挟持口３０に向かって斜め方向に延伸し、前記操作孔１２は、前記絶縁ケーシング１の外部から前記挟持口３０に向かって徐々に縮小する孔径を形成し、且つ前記ストッパ部１４は、前記弾性片３にある前記挟持部３１と前記定位部３２との間に位置し、前記囲枠２３は、前記ストッパ部１４の外囲に囲繞し、且つ前記ストッパ部１４は、前記囲枠２３にある側開口２７を介して前記収容空間２５に入り込んでいる。好ましい考慮において、前記ストッパ部１４は、射出成型で、前記絶縁ケーシング１の前記収容スロット１０の内壁に一体的に形成し、前記導電面２０に向かうストッパ面１４１を設けている。
【手続補正４】
【補正対象書類名】明細書
【補正対象項目名】００２４
【補正方法】変更
【補正の内容】
【００２４】
このことからわかるとおり、本考案に係るストッパ部１４は、前記絶縁ケーシング１の前記収容スロット１０内壁に直接設けられ、前記ストッパ部１４と前記操作孔１２との相対的位置は固定され、且つ前記挟持部３１を含む前記弾性片３の擺動経路も固定しているため、前記ストッパ部１４と前記操作孔１２との間に差異は発生せず、上述した従来の接続端子に係るストッパ部と操作孔との組合せの関係上で誤差が起き、それによって前記手工具６の挟持効果が喪失又は低下したりすることはなく、且つ前記ストッパ部１４は、加工が容易で、精度も安定し、前記導電体２の構成も簡略化することで、加工コストを削減している。
【手続補正５】
【補正対象書類名】明細書
【補正対象項目名】００２７
【補正方法】変更
【補正の内容】
【００２７】
１              絶縁ケーシング
１０            収容スロット
１１            挿入孔
１２            操作孔
１２０          軸線
１３            弓形スロット
１４、４１      ストッパ部
１４１          ストッパ面
２、４          導電体
２０、４０      導電面
２１            基部
２２            接続部
２３            囲枠
２４            支持部
２５            収容空間
２６            上開口
２７            側開口
３、５          弾性片
３０、５０      挟持口
３１            挟持部
３２            定位部
３３            湾曲部
７              電線
６              手工具
【手続補正６】
【補正対象書類名】実用新案登録請求の範囲
【補正対象項目名】請求項３
【補正方法】変更
【補正の内容】
【請求項３】
前記軸線は、前記挿入孔に対応する前記挟持口に向かって斜め方向に延伸することを特徴とする請求項１或いは２に記載の端子台の改良構成。